(57)【要約】【課題】本発明は、無線通信システムにおける周波数の再配置を支援するための装置及び方法を提供する。【解決手段】本発明による基地局装置は、周波数帯域が変更される場合、前記周波数帯域が変更される以前の中心周波数に比べて、設定値分だけオフセットを有するように使用周波数チャネルの中心周波数を設定する中心周波数設定部と、前記中心周波数設定部で設定した中心周波数に応じた局部発振周波数信号を発生する局部発振器と、ダウンリンクベースバンド信号を生成するベースバンド処理部と、前記局部発振周波数信号を利用して、前記ベースバンド処理部で生成したダウンリンクベースバンド信号を高周波（ＲＦ）帯域の信号に変換して送信する無線周波数処理部とを備える。【選択図】図５
2010193452.tif 000002
【特許請求の範囲】
【請求項１】
無線通信システムの基地局装置であって、
周波数帯域が変更される場合、前記周波数帯域が変更される以前の中心周波数に比べて、設定値分だけオフセットを有するように使用周波数チャネルの中心周波数を設定する中心周波数設定部と、
前記中心周波数設定部で設定した中心周波数に応じた局部発振周波数信号を発生する局部発振器と、
ダウンリンクベースバンド信号を生成するベースバンド処理部と、
前記局部発振周波数信号を利用して、前記ベースバンド処理部で生成したダウンリンクベースバンド信号を高周波（ＲＦ）帯域の信号に変換して送信する無線周波数処理部とを備えることを特徴とする装置。
【請求項２】
前記中心周波数設定部は、トーン当たりの空間を考慮して決定された前記設定値分だけオフセットを有するように、変更された使用周波数チャネルの中心周波数を設定することを特徴とする請求項１に記載の装置。
【請求項３】
前記中心周波数設定部は、ＣＤＭＡシステムの場合、１５ＫＨｚの設定値分だけオフセットを有するように使用周波数チャネルの中心周波数を設定することを特徴とする請求項２に記載の装置。
【請求項４】
前記中心周波数設定部は、前記変更された周波数帯域のうち、周波数帯域が変更される以前の周波数帯域と重なる周波数帯域から使用周波数チャネルが選択された場合、前記設定値分だけオフセットを有するように前記使用周波数チャネルの中心周波数を設定することを特徴とする請求項１に記載の装置。
【請求項５】
前記無線通信システムにおいて特定周波数帯域を分配して運営する新規システムのための第１帯域と既存のシステムのための第２帯域のうち、前記第２帯域を介してサービスを提供することを特徴とする請求項１に記載の装置。
【請求項６】
前記第１帯域と第２帯域の大きさは、前記新規システムの加入者数及び前記既存のシステムの加入者数に応じて調整されることを特徴とする請求項５に記載の装置。
【請求項７】
前記既存のシステムは、ｃｄｍａ  １ｘ  ＥＶ−ＤＯシステムを含み、
前記新規システムは、ＬＴＥシステムを含むことを特徴とする請求項５に記載の装置。
【請求項８】
無線通信システムにおける基地局の送信方法であって、
周波数帯域が変更される場合、前記周波数帯域が変更される以前の中心周波数に比べて、設定値分だけオフセットを有するように使用周波数チャネルの中心周波数を設定する過程と、
前記設定した中心周波数に応じた局部発振周波数信号を発生する過程と、
ダウンリンクベースバンド信号を生成する過程と、
前記局部発振周波数信号を利用して、前記生成したダウンリンクベースバンド信号をＲＦ帯域の信号に変換して送信する過程とを含むことを特徴とする方法。
【請求項９】
前記設定値は、トーン当たりの空間を考慮して決定されることを特徴とする請求項８に記載の方法。
【請求項１０】
前記設定値は、ＣＤＭＡシステムの場合、１５ＫＨｚであることを特徴とする請求項９に記載の方法。
【請求項１１】
前記変更された周波数帯域のうち、前記周波数帯域が変更される以前の周波数帯域と重なる周波数帯域から使用周波数チャネルが選択されているか否かを前記中心周波数を設定する以前に確認する過程をさらに含み、
前記周波数帯域が変更される以前の周波数帯域と重なる周波数帯域から使用周波数チャネルが選択された場合、前記設定値分だけオフセットを有するように使用周波数チャネルの中心周波数を設定することを特徴とする請求項８に記載の方法。
【請求項１２】
前記無線通信システムにおいて特定周波数帯域を分配して運営する新規システムのための第１帯域と既存のシステムのための第２帯域のうち、前記第２帯域を介してサービスを提供することを特徴とする請求項８に記載の方法。
【請求項１３】
前記第１帯域と第２帯域の大きさは、前記新規システムの加入者数及び前記既存のシステムの加入者数に応じて調整されることを特徴とする請求項１２に記載の方法。
【請求項１４】
前記既存のシステムは、ｃｄｍａ  １ｘ  ＥＶ−ＤＯシステムを含み、
前記新規システムは、ＬＴＥシステムを含むことを特徴とする請求項１２に記載の方法。
【発明の詳細な説明】
【技術分野】
【０００１】
本発明は、無線通信システムにおける周波数の再配置を支援するための装置及び方法に関し、特に、周波数の再配置がなされる場合、周波数帯域が修正（あるいは廃棄）されない端末の接続を防止するための装置及び方法に関する。
【背景技術】
【０００２】
移動通信技術は、既存のシステムに比べて高速及び高品質のデータをサービスしたり、又は、実施上の問題を解決する等、進化しつつある。アナログセルラー移動通信のチャネル容量と音声品質とを改善した第２世代デジタルセルラー移動通信システムは、音声及び低速のデータサービスを提供した。その後、第３世代ＩＭＴ−２０００は、音声サービスだけでなく、インターネットを含む高速データサービス、映像サービスなどのマルチメディアサービスを提供している。第３世代通信技術として、欧州のＷ−ＣＤＭＡ（あるいはＵＭＴＳ）と北米のｃｄｍａ２０００１ｘと１ｘ  ＥＶ−ＤＯ、そしてｃｄｍａ２０００  １ｘＥＶ−ＤＶが研究開発されてきた（特許文献１参照）。ＩＭＴ−２０００以後、第４世代移動通信技術は、より少ない費用で便利な高品質のサービスを提供するようになるはずである。
【０００３】
ＵＭＴＳ標準化を担当している３ＧＰＰは、ＵＭＴＳの次世代移動通信システムであるＬＴＥシステムに対して標準化を進行しつつある。ここで、ＬＴＥシステムは、ＯＦＤＭ基盤の通信システムである。
【０００４】
このように、移動通信システムは、ＣＤＭＡ基盤の通信システムにおけるＯＦＤＭ基盤の通信システムに変更されている傾向にある。したがって、移動通信事業者は、ＯＦＤＭ基盤移動通信サービスを始めるための周波数確保において競争している。移動通信事業者が一定の周波数帯域でサービスを提供する場合、前記移動通信事業者は、周波数の使用に対する一定の使用料を支払わなければならない。
【０００５】
したがって、移動通信事業者は、使用しないか、あるいは使用頻度が減少すると予想される周波数を返納及び再配置するか、周波数の新規割り当てにより周波数の使用による費用を減らす。
【０００６】
上述した周波数を返納及び再配置するか、周波数の新規割り当てによりサービス帯域が変更される場合、前記移動通信事業者は、既存のシステム端末のサービス持続問題と新規システムの導入による帯域効率性問題などを考慮して決定しなければならない。
【０００７】
図１は、事業者の周波数帯域の運用例を示すものである。
【０００８】
図１に示すように、既存のシステム（例：ｃｄｍａ基盤のシステム）のみ存在する場合の周波数配置を示したもので、図１の（ａ）は、ダウンリンク（又は順方向）通信のために割り当てられた８６０ＭＨｚ〜８７０ＭＨｚ帯域を示し、図１の（ｂ）は、アップリンク（又は逆方向）通信のために割り当てられた９１５ＭＨｚ〜９２５ＭＨｚ帯域を示す。
【０００９】
移動通信事業者は、新規システム（例：ＯＦＤＭ基盤のシステム）の導入のために、図１に示す周波数の運用を変更することができる。例えば、移動通信事業者は、現在使用しているダウンリンク帯域は維持し、使用したアップリンク帯域を返納（あるいは、新規割り当て）できる。このように、サービス帯域が変更される場合、既存の帯域でサービスを受けた端末は、すべて廃棄（あるいは修正）されなければならない。すなわち、既存のシステムの基地局と端末は、変更された帯域でサービスを受けることができるように修正されなければならない。万一、周波数が再配置された後、修正（あるいは廃棄）されていない端末が接続を試みた場合、前記端末のアップリンク信号によって返納された周波数帯域に干渉を起こすという問題が発生しうる。
【００１０】
このように、周波数の再配置段階においてサービス帯域が修正（あるいは、廃棄）されていない端末によって問題が発生しうるので、このような問題を未然に防止するための方案が必要である。
【先行技術文献】
【特許文献】
【００１１】
【特許文献１】大韓民国特許出願公開第１０−２００７−００４６８２８号明細書
【発明の概要】
【発明が解決しようとする課題】
【００１２】
そこで、本発明の目的は、無線通信システムにおいて周波数の再配置を支援するための装置及び方法を提供することにある。
【００１３】
本発明の他の目的は、無線通信システムにおいて周波数の再配置がなされた場合、サービス帯域が修正されていない端末の接続を防止するための装置及び方法を提供することにある。
【００１４】
本発明の他の目的は、無線通信システムにおいて周波数の再配置がなされた場合、廃棄されていない端末の接続を防止するための装置及び方法を提供することにある。
【００１５】
本発明の他の目的は、無線通信システムにおいて周波数の再配置がなされた場合、サービス帯域が修正されていない端末の接続を防止するために、中心周波数を修正するための装置及び方法を提供することにある。
【００１６】
本発明の他の目的は、無線通信システムにおいて周波数の再配置がなされた場合、廃棄されていない端末の接続を防止するために、中心周波数を修正するための装置及び方法を提供することにある。
【課題を解決するための手段】
【００１７】
上記の目的を達成すべく、本発明の一見地によれば、無線通信システムの基地局装置は、周波数帯域が変更される場合、周波数帯域が変更される以前の中心周波数に比べて、設定値分だけオフセットを有するように使用周波数チャネルの中心周波数を設定する中心周波数設定部と、中心周波数設定部で設定した中心周波数に応じた局部発振周波数信号を発生する局部発振器と、ダウンリンクベースバンド信号を生成するベースバンド処理部と、局部発振周波数信号を利用して、ベースバンド処理部で生成したダウンリンクベースバンド信号を高周波（ＲＦ）帯域の信号に変換して送信する無線周波数処理部とを備えることを特徴とする。
【００１８】
本発明の他の見地によれば、無線通信システムにおける基地局の送信方法は、周波数帯域が変更される場合、周波数帯域が変更される以前の中心周波数に比べて、設定値分だけオフセットを有するように使用周波数チャネルの中心周波数を設定する過程と、設定した中心周波数に応じた局部発振周波数信号を発生する過程と、ダウンリンクベースバンド信号を生成する過程と、局部発振周波数信号を利用して、生成したダウンリンクベースバンド信号をＲＦ帯域の信号に変換して送信する過程とを含むことを特徴とする。
【図面の簡単な説明】
【００１９】
【図１】事業者の周波数帯域の運用例を示す図である。
【図２】本発明による、既存のシステムと新規システムとを支援するための周波数帯域の運用例を示す図である。
【図３】本発明による、新規システムが導入される初期段階におけるダウンリンク帯域の変更例を示す図である。
【図４】本発明による、新規システムの加入者数の増加に応じた周波数帯域の運用例を示す図である。
【図５】本発明の実施の形態による既存のシステムの基地局の動作手順を示す図である。
【図６】本発明の実施の形態による既存のシステムの基地局構成を示す図である。
【発明を実施するための形態】
【００２０】
以下、添付した図面を参照して、本発明の動作原理について詳細に説明する。下記で本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザ、操作者の意図又は慣例などによって変わりうる。したがって、その定義は、本明細書全般にわたる内容に基づいて行わなければならない。
【００２１】
以下、本発明は、無線通信システムにおいて新規システムの導入により周波数の再配置がなされる場合、既存システムの修正（あるいは、廃棄）されていない端末（以下、旧（ｏｌｄ）端末とする）の接続を未然に防止するための方案を説明する。
【００２２】
以下の説明において、新規システムとしてはＬＴＥシステムを仮定し、既存のシステムとしてはｃｄｍａ  １ｘ  ＥＶ−ＤＯシステムを仮定する。しかしながら、新規システム及び既存のシステムは、３ＧＰＰ陣営の規格、３ＧＰＰ２陣営の規格、ＩＥＥＥ  ８０２．１６系の規格などで多様に定義されうる。一例として、既存のシステムは、ＵＭＴＳシステムであってもよく、新規システムは、ＩＥＥＥ  ８０２．１６ｅシステムであってもよい。
【００２３】
図２は、本発明による、既存のシステムと新規システムとを支援するための周波数帯域の運用例を示すものである。
【００２４】
図２に示すように、図２の（ａ）は、ダウンリンク（又は順方向）通信のための帯域である８６０ＭＨｚ〜８７５ＭＨｚを示し、図２の（ｂ）は、アップリンク（又は逆方向）通信のための帯域である８１５ＭＨｚ〜８３０ＭＨｚを示す。
【００２５】
図２の（ａ）に示すように、ダウンリンク通信帯域において、８６０ＭＨｚ〜８７０ＭＨｚは、新規システム（ＬＴＥ）で使用し、８７０ＭＨｚ〜８７５ＭＨｚは、既存のシステム（ｃｄｍａ  １ｘ  ＥＶ−ＤＯ）で使用することができる。
【００２６】
図２の（ｂ）に示すように、アップリンク通信帯域において、８１５ＭＨｚ〜８２５ＭＨｚは、新規システム（ＬＴＥ）で使用し、８２５ＭＨｚ〜８３０ＭＨｚは、既存のシステム（ｃｄｍａ  １ｘ  ＥＶ−ＤＯ）で使用することができる。
【００２７】
上述した運用例において無線通信システムは、新規システムのためにアップリンク及びダウンリンクのそれぞれに１０ＭＨｚ帯域を割り当て、既存のシステムのためにアップリンク及びダウンリンクのそれぞれに５ＭＨｚ帯域を割り当てている。しかしながら、図２の周波数配置は、一例に過ぎず、多様に実施されうる。
【００２８】
以下の説明では、図１の周波数配置から図２の周波数配置に変更されると仮定する。この場合、既存のシステムの端末は、アップリンク及びダウンリンク通信帯域を変更しなければならない。例えば、既存のシステムの端末は、アップリンク通信帯域を９１５ＭＨｚ〜９２５ＭＨｚから８２５ＭＨｚ〜８３０ＭＨｚに修正しなければならない。他の例を挙げると、既存のシステムの端末は、ダウンリンク通信帯域を８６０ＭＨｚ〜８７０ＭＨｚから８７０ＭＨｚ〜８７５ＭＨｚに修正しなければならない。
【００２９】
本発明は、周波数帯域運用が図１から図２に変更される初期段階において既存のシステムの端末が既存アップリンク帯域に信号を送信することを根本的に遮断するためのものである。また、図２のように、既存のシステムと新規システムとが特定帯域を共有する場合、無線通信システムにおいて新規システムの加入者数が増加するにつれて、新規システムの帯域を次第に増加させ、既存のシステムの帯域を次第に減らすためのものである。
【００３０】
図３は、本発明による、新規システムが導入される初期段階においてダウンリンク帯域の変更例を示すものである。図３の（ａ）は、新規システムが導入される前のダウンリンク帯域の運用例を示したものであり、図３の（ｂ）は、新規システムが導入された後のダウンリンク帯域の運用例を示したものである。
【００３１】
図３に示すように、新規システムが導入される場合、無線通信システムは、事業者が割り当てられた周波数帯域を新規システムのための帯域と既存のシステムのための帯域とに区分して使用する。
【００３２】
無線通信システムは、新規システムが導入される初期ステップにおいて新規システムの加入者数が少ないので、新規システムのための帯域を既存のシステムのための帯域より少なく割り当てることができる。
【００３３】
一般に、端末は、基地局から提供されたダウンリンク信号から通信に必要な情報（あるいは、同期）を獲得する。その後、端末は、基地局から獲得した通信に必要な情報（あるいは、同期）を利用して、ダウンリンク信号を受信するか、又はアップリンク信号を送信する。
【００３４】
先に説明した通り、旧端末のアップリンク接続を防止するためには、根本的に旧端末がダウンリンク信号を受信することができないようにすればよい。そのために、無線通信システムは、図３の（ｂ）に示すように、既存のシステムの中心周波数を設定値（例：１５ｋｈｚ）分だけオフセットするようにシフトさせて、周波数の再配置後に旧端末がダウンリンク信号を受信することができないようにする。この場合、中心周波数がシフトされたため、サービス帯域が修正（あるいは、廃棄）されていない旧端末は、ダウンリンク信号を捕捉できないので、アップリンク信号を送信することができない。ここで、設定値は、トーン(tone)当たりの空間を考慮して決定される。
【００３５】
図３にて無線通信システムは、図３の（ａ）に示された既存のシステムのダウンリンク帯域と重なる図３の（ｂ）に示す既存のシステムのダウンリンク帯域に対してのみ設定値分だけシフトさせることもできる。
【００３６】
一方、新規システムの加入者数が増加し、既存のシステムの加入者数が減少した場合、無線通信システムは、下記の図４のように、周波数帯域の配置を変更することができる。
【００３７】
図４は、本発明による新規システムの加入者数の増加に応じた周波数帯域の運営例を示したものである。図４の（ａ）は、新規システムが導入される前のダウンリンク帯域の運用例を示したものであり、図４の（ｂ）は、新規システムが導入された後のダウンリンク帯域の運用例を示したものである。
【００３８】
無線通信システムは、新規システムが加入者の数が増加し、既存のシステムの加入者数が減少した場合、図４の（ｂ）に示すように、図３の（ｂ）に示す周波数配置よりも新規システムの使用帯域を増加させ、既存のシステムの使用帯域を減少させることができる。
【００３９】
上述した内容に基づいた具体的な実施の形態を述べると、以下のとおりである。
【００４０】
図５は、本発明の実施の形態による既存のシステムの基地局の動作手順を示している。以下の説明は、新規システムの導入により周波数の再配置がなされた場合、既存のシステムの基地局が中心周波数を設定値分だけシフトしてサービスを提供するための手順を示したものである。
【００４１】
図５に示すように、システムの設置による周波数の初期設定あるいは周波数の再設定の際、基地局は、ステップ５０１にてサービスを提供する周波数チャネル（ＦＡ）を選択する。例えば、図３の（ｂ）に示すように、基地局で使用できる周波数チャネルが６個である場合、基地局は、６個の周波数チャネルのうちのいずれか一つを、サービスを提供するための周波数チャネルとして選択できる。他の例を挙げると、基地局がマルチキャリア（ＭＣ）を支援する場合、基地局は、６個の周波数チャネルのうち、少なくとも一つの周波数チャネルを、サービスを提供するための周波数チャネルとして選択できる。具体的に説明すると、基地局で使用する周波数チャネルは、運用者により網管理器に入力されることができ、網管理器から該当基地局に伝達されることができる。
【００４２】
その後、基地局は、ステップ５０３にて選択された周波数チャネルに応じた中心周波数を設定する。例えば、基地局は、周波数の再配置前に既存帯域で使用していた中心周波数（ｆｃｅｎｔｅｒ＿ｏｌｄ）より設定値分だけシフトされるように、選択されたチャネルの中心周波数を設定する。このとき、基地局は、図３の（ｂ）に示すように、周波数の再配置を介して変更された周波数帯域のうち、図３の（ａ）に示す既存のシステムのダウンリンク帯域と重なる周波数帯域に対してのみ周波数の再配置前に既存帯域で使用した中心周波数（ｆｃｅｎｔｅｒ＿ｏｌｄ）より設定値分だけシフトされるように、選択されたチャネルの中心周波数を設定することもできる。具体的に説明すると、周波数の再配置によって周波数チャネルの中心周波数が変更される場合、運用者は、運用者ターミナル（網管理器）を介して中心周波数を修正することができる。この場合、網管理器は、運営者により修正された中心周波数値を基地局に伝達するか、又は中心周波数を変更するための前記設定値を基地局に伝達できる。
【００４３】
サービスが始まる場合、基地局は、ステップ５０５にてダウンリンクに送信するベースバンド信号を生成する。
【００４４】
その後、基地局は、ステップ５０７にてベースバンドのデジタル信号をアナログ信号に変換する。
【００４５】
ベースバンド信号をアナログ信号に変換した後、基地局は、ステップ５０９にてベースバンドアナログ信号を設定された中心周波数（ｆｃｅｎｔｅｒ＿ｏｌｄ＋ｏｆｆｓｅｔ）に応じたＬＯ周波数信号を利用してＲＦ信号に変換する。例えば、基地局は、ベースバンド信号を直ちにＲＦ帯域信号に変換する。他の例に挙げると、基地局は、ベースバンド信号をＩＦ帯域信号に変換し、ＩＦ帯域信号をＲＦ帯域信号に変換することもできる。
【００４６】
その後、基地局は、ステップ５１１にてＲＦ帯域の信号を電力増幅した後、アンテナを介して送信する。
【００４７】
サービス帯域が修正（あるいは、廃棄）されていない旧端末は、既存の中心周波数を基準に３０ＫＨｚ単位で周波数を探索する。このとき、旧端末は、中心周波数がシフトされた基地局の同期を獲得することができないので、アップリンク信号を送信することができない。
【００４８】
図６は、本発明の実施の形態による既存のシステムの基地局構成を示している。以下の説明は、新規システムの導入により周波数の再配置がなされた場合、既存のシステムの基地局が中心周波数を設定値分だけシフトしてサービスを提供するための構成を示したものである。
【００４９】
図６に示すように、基地局は、無線周波数受信部６０２、Ａ／Ｄ変換器６０４、復調器６０６、復号化部６０８、制御部６１０、符号化部６１２、変調器６１４、Ｄ／Ａ変換器６１６、無線周波数送信部６１８、中心周波数設定部６２０、第１局部発振器６２２及び第２局部発振器６２４を備えて構成される。
【００５０】
無線周波数受信部６０２は、第１局部発振器６２２からのアップリンク局部発振（ＬＯ）周波数信号を利用して、アンテナを介して受信されるＲＦ帯域の信号をベースバンドアナログ信号に変換する。
【００５１】
Ａ／Ｄ変換器６０４は、無線周波数受信部６０２からのベースバンドアナログ信号をデジタル信号（サンプルデータ）に変換する。
【００５２】
復調器６０６は、Ａ／Ｄ変換器６０４からのデジタル信号をベースバンド復調して出力する。例えば、復調器６０６は、受信データをロングコード復調、ＯＶＳＦコード復調及び変調シンボル復調して符号データを発生できる。
【００５３】
復号化部６０８は、復調器６０６からの符号データをチャネルデコードして、本来の情報データに復元する。このとき、情報データがトラフィックデータである場合、復号化部６０８は、情報データを該当プロトコル処理部に伝達する。一方、情報データがシグナリングメッセージである場合、復号化部６０８は、情報データを制御部６１０に提供する。
【００５４】
制御部６１０は、基地局の全般的な動作を制御する。例えば、制御部６１０は、端末から受信されたシグナリングメッセージを解析して該当動作を制御し、送信シグナリングメッセージを生成して符号化部６１２に提供できる。
【００５５】
符号化部６１２は、送信トラフィックデータ及び制御部６１０からのシグナリングメッセージをチャネルデコードして出力する。
【００５６】
変調器６１４は、符号化部６１２からの符号データをベースバンド変調して出力する。例えば、変調器６１４は、符号データを変調シンボルに変換し、変調シンボルをチャネル化コード（例：ＯＶＳＦコード）に変調し、チャネル化コードに変調されたデータをアップリンクスクランブルコードに拡散（ｓｐｒｅａｄｉｎｇ）できる。
【００５７】
Ｄ／Ａ変換器６１６は、変調器６１６からのベースバンドデジタル信号をベースバンドアナログ信号に変換して出力する。
【００５８】
無線周波数送信部６１８は、第２局部発振器６２４からのダウンリンク局部発振（ＬＯ）周波数信号を利用して、Ｄ／Ａ変換器６１６からのベースバンド信号をＲＦ帯域の信号に変換して送信する。
【００５９】
一方、周波数の再配置によって網管理器（例：ＯＭＣ）から周波数割り当てに関する情報が受信された場合、制御部６１０は、周波数割り当てに関する情報を中心周波数設定部６２０に提供する。例えば、周波数割り当てに関する情報は、サービスを提供する周波数チャネル番号（ＦＡ番号）及び中心周波数を変更するための設定値などを含むことができる。
【００６０】
中心周波数設定部６２０は、制御部６１０の制御下にサービスを提供する周波数チャネルを選択し、選択された周波数チャネルに応じた中心周波数を設定する。万一、周波数の再配置によって中心周波数の変更が必要な場合、中心周波数設定部６２０は、該当周波数チャネルの中心周波数を設定値分だけオフセットするように変更して設定する。また、ダウンリンクとアップリンクとが互いに異なる帯域を使用する場合、中心周波数設定部６２０は、ダウンリンク及びアップリンクの各々に対して周波数チャネルの中心周波数を設定値分だけ変更できる。また、中心周波数設定部６２０は、図３の（ｂ）に示すように、周波数の再配置を介して変更された周波数帯域のうち、図３の（ａ）に示された既存のシステムのダウンリンク帯域と重なる周波数帯域に対してのみ周波数の再配置の前に既存帯域で使用した中心周波数（ｆｃｅｎｔｅｒ＿ｏｌｄ）より設定値分だけシフトされるように、選択されたチャネルの中心周波数を設定することもできる。ここで、設定値は、トーン（tone）当たりの空間を考慮して決定される。
【００６１】
第１局部発振器６２２は、中心周波数設定部６２０の中心周波数設定に応じて、アップリンクのための局部発振周波数信号を無線周波数受信部６０２に発生する。第２局部発振器６２４は、中心部波数設定部６２０の中心周波数設定に応じて、ダウンリンクのための局部発振周波数信号を無線周波数送信部６１８に発生する。
【００６２】
上述したように、本発明は、無線通信システムにおいて新規システムの導入により周波数の再配置がなされた場合、修正（あるいは、廃棄）されていない端末（旧端末）の接続を未然に防止できるという利点がある。すなわち、旧端末の接続により、返納された周波数に干渉を起こすという問題を未然に防止できる。
【００６３】
一方、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、特許請求の範囲だけでなく、特許請求の範囲と均等なものによって決まらねばならない。
【図１】
2010193452.tif 000003
【図２】
2010193452.tif 000004
【図３】
2010193452.tif 000005
【図４】
2010193452.tif 000006
【図５】
2010193452.tif 000007
【図６】
2010193452.tif 000008